(57)【要約】【課題】使用場所に関する制約を低減した遊戯銃を提供すること。【解決手段】遊戯銃であるエアソフトガン１００は、撮像部２１６と、エアソフトガン１００の引き金動作を検出する引き金動作検出部１１１と、引き金動作検出部１１１により検出された引き金動作に基づいた射撃結果と、撮像部２１６により撮像された撮像画像とを重畳表示する表示部１４ａと、を備える。【選択図】図１
2019060534.tif 000002
【特許請求の範囲】
【請求項１】
可動な引き金を有する遊戯銃において、
撮像部と、
前記遊戯銃の引き金動作を検出する引き金動作検出部と、
前記引き金動作検出部により検出された引き金動作に基づいた射撃結果と、前記撮像部により撮像された撮像画像とを重畳して表示する表示部と、を備えることを特徴とする遊戯銃。
【請求項２】
前記遊戯銃は、エアソフトガンであり、
前記エアソフトガンのマズルと前記引き金動作検出部とを接続する接続部を備えることを特徴とする請求項１に記載の遊戯銃。
【請求項３】
前記引き金動作検出部は、気圧センサを有し、
前記可動な引き金の操作により、前記エアソフトガンのマズルから射出される空気圧を、前記接続部を介して、前記気圧センサが検知することにより、引き金動作を検出することを特徴とする請求項２に記載の遊戯銃。
【請求項４】
可動な引き金を有するエアソフトガンに着脱可能なアタッチメントにおいて、
前記エアソフトガンの引き金動作を検出する引き金動作検出部を備え、
前記引き金動作検出部は、気圧センサを有し、
前記可動な引き金の操作により、前記エアソフトガンのマズルから射出される空気圧を前記気圧センサが検知することにより、前記エアソフトガンの引き金動作を検出することを特徴とするアタッチメント。
【請求項５】
前記アタッチメントの一端に着脱可能に取り付けられた表示部と、
前記アタッチメントの他端に着脱可能に取り付けられた撮像部と、を備えることを特徴とする請求項４に記載のアタッチメント。
【請求項６】
前記表示部は、前記引き金動作検出部に備えられた前記気圧センサと一体となっていることを特徴とする請求項５に記載のアタッチメント。
【請求項７】
報知部を備え、
前記報知部は、前記引き金動作検出部により検出された引き金動作に基づき、操作者に射撃操作の実行を報知することを特徴とする請求項４に記載のアタッチメント。
【請求項８】
前記報知部は、画面表示、音、及び振動の少なくとも１つにより、操作者に射撃操作の実行を報知することを特徴とする請求項７に記載のアタッチメント。
【請求項９】
表示部と、気圧センサとを有したウェアラブル機器において、
前記気圧センサによりエアソフトガンから射出される空気圧を検出する引き金動作検出手段と、
前記引き金動作検出手段により検出された引き金動作に基づいた射撃結果を前記表示部に表示する表示手段と、を備えることを特徴とするウェアラブル機器。
【請求項１０】
前記表示部は、前記引き金動作検出手段により検出された引き金動作に基づいた射撃結果と、撮像機器により撮像された映像とを重畳して表示することを特徴とする請求項９に記載のウェアラブル機器。
【発明の詳細な説明】
【技術分野】
【０００１】
本発明は、遊戯銃、アタッチメント、ウェアラブル機器に関する。
【背景技術】
【０００２】
従来、遊戯銃を用いた遊びが行われており、特に、ＢＢ弾を発射するエアソフトガンはサバイバルゲームで多用される。エアソフトガンはＢＢ弾を発射することから、壁やネットで囲まれた専用の施設やゲームセンター等、安全上の条件が満たされる場所で行われる必要がある。また、従来、銃型のコントローラを用いたシューティングゲームも提案されている（特許文献１参照）。特許文献１の銃型のコントローラは、保持装置等に拘束されずに自由に取回せるためゲームのリアリティが損なわれないとされている。
【先行技術文献】
【特許文献】
【０００３】
【特許文献１】特開２００５−２９３０９０号公報
【発明の概要】
【発明が解決しようとする課題】
【０００４】
しかしながら、ＢＢ弾を発射するエアソフトガンを含め、遊戯銃を用いる場合には、安全上の条件が満たされる必要があるため使用可能な場所に制約がある。また、特許文献１に記載の銃型のコントローラを用いたシューティングゲームにおいても、床面に据え付けられた筐体装置が必要であることから実施可能な場所に制約がある。
【０００５】
本発明は、このような状況に鑑みてなされたものであり、使用場所に関する制約を低減した遊戯銃やエアソフトガン、このような新たなエアソフトガンに適合するアタッチメント、新たなエアソフトガンにも応用されるウェアラブル機器を提供することを目的とする。
【課題を解決するための手段】
【０００６】
上記目的を達成するため、本発明の遊戯銃は、その一態様では、
可動な引き金を有する遊戯銃において、
撮像部と、
前記遊戯銃の引き金動作を検出する引き金動作検出部と、
前記引き金動作検出部により検出された引き金動作に基づいた射撃結果と、前記撮像部により撮像された撮像画像とを重畳して表示する表示部と、を備える。
【０００７】
上記目的を達成するため、本発明のアタッチメントは、その一態様では、
可動な引き金を有するエアソフトガンに着脱可能なアタッチメントにおいて、
前記エアソフトガンの引き金動作を検出する引き金動作検出部を備え、
前記引き金動作検出部は、気圧センサを有し、
前記可動な引き金の操作により、前記エアソフトガンのマズルから射出される空気圧を前記気圧センサが検知することにより、前記エアソフトガンの引き金動作を検出する。
【０００８】
上記目的を達成するため、本発明のウェアラブル機器は、その一態様では、
前記気圧センサによりエアソフトガンから射出される空気圧を検出する引き金動作検出手段と、
前記引き金動作検出手段により検出された引き金動作に基づいた射撃結果を前記表示部に表示する表示手段と、を備える。
【発明の効果】
【０００９】
本発明によれば、使用場所に関する制約を低減した遊戯銃やエアソフトガン、このような新たなエアソフトガンに適合するアタッチメント、新たなエアソフトガンにも応用されるウェアラブル機器を提供することができる。
【図面の簡単な説明】
【００１０】
【図１】ウェアラブル機器を用いたアタッチメントを装着したエアソフトガンを示す概念図であり、ウェアラブル機器、アタッチメント及びエアソフトガンは、それぞれ本発明の一実施形態に係るものである。
【図２】図１のアタッチメントを側面視した図である。
【図３】図２のアタッチメントの分解図である。
【図４】図２のアタッチメントの撮像部を含む撮影装置のハードウェア構成を示すブロック図である。
【図５】図２のアタッチメントの表示部を含むリスト端末のハードウェア構成を示すブロック図である。
【図６】図４の撮影装置の機能的構成のうち、撮影処理を実行するための機能的構成を示す機能ブロック図である。
【図７】図５のリスト端末の機能的構成のうち、撮像画像データ受信処理及び表示処理を実行するための機能的構成を示す機能ブロック図である。
【図８】図５のリスト端末の表示部における一つの表示例を示す図である。
【図９】図５のリスト端末の表示部における他の表示例を示す図である。
【図１０】図５のリスト端末の表示部における他の表示例を示す図である。
【図１１】図４の撮影装置が実行する撮影処理の流れを説明するフローチャートである。
【図１２】図５のウェアラブル機器が実行する撮像画像データ受信処理及び表示処理の流れを説明するフローチャートである。
【発明を実施するための形態】
【００１１】
以下、本発明の実施形態について、図面を用いて説明する。
【００１２】
本発明に係るエアソフトガンは、ウェアラブル機器を用いたアタッチメントを備え、射撃の動作を検出してディスプレイに射撃の結果を表示することにより、ＢＢ弾等の飛翔体を発射することなく、射撃のリアリティを高めることを可能としたものである。
これにより、使用場所に関する制約を低減したエアソフトガンを実現することができる。
また、近年普及しつつあるウェアラブル機器には、各種センサ（加速度センサ、気圧センサあるいは生体センサ等）が備えられているところ（例えば、特開２０１７−１２３８９７号公報）、本発明に係るエアソフトガンは、ウェアラブル機器の多様な機能を活用することで、エアソフトガンの使用に関する制約の低減を図るものである。
【００１３】
［エアソフトガンの構成］
図１は、ウェアラブル機器を用いたアタッチメント（本実施形態では、照準器型アタッチメント３００）を装着したエアソフトガン１００を示す概念図である。ウェアラブル機器、アタッチメント及びエアソフトガンは、それぞれ本発明の一実施形態に係るものである。図１を参照してエアソフトガン１００について詳細に説明するが、説明の便宜上、上下左右の向きはエアソフトガン１００を図１の視座で側面視した場合を想定するものとする。また、適宜、エアソフトガン１００のマズル１０２側を前側、グリップ１０３側を手元側という。
【００１４】
図１のエアソフトガン１００は、後述するＬＣＤの表示部１４ａを有するリスト端末１（ウェアラブル機器）と、撮像部２１６（後述）を有する撮影装置２とを備え、リスト端末１と撮影装置２とは円筒状部材３０１（後述）のそれぞれ対応する一方及び他方の端部に取付けられて照準器型アタッチメント３００を構成している。
【００１５】
エアソフトガン１００の銃身１０１の一方の端部側にはマズル１０２が開口し、他方の端部側にはグリップ１０３が設けられている。また、ユーザがグリップ１０３を握ったときに、握った手の指が届く位置に引き金１０４が設けられている。通常のエアソフトガンと同様に、引き金１０４の下部側の周囲はトリガーガード１０５によって囲まれている。
銃身１０１下部に銃身１０１と平行に延びた円筒状の部分は弾を発射するために空気を圧縮するシリンダ１０６である。シリンダ１０６の前側部分には、空気を圧縮するためのスライド操作時にユーザが保持するコッキングハンドルを兼ねたフォアグリップ１０７が設けられている。
【００１６】
エアソフトガン１００のマズル１０２には、チューブ状の導圧管１０８の一端１０９側が接続されている。導圧管１０８の他端１１０側は、リスト端末１の後述するセンサユニット１２の一部である気圧センサ１２ａ（吹き出しにて図示）に向けて固定されている。
【００１７】
エアソフトガン１００は、実際には弾を発射しない場合でも、エアソフトガン１００での圧縮により大気圧よりも高圧になった空気が引き金１０４に対する操作に応じて、マズル１０２から射出される。したがって、リスト端末１は、センサユニット１２の気圧センサ１２ａによって、導圧管１０８を通してマズル１０２から伝播する圧力を検出することで、引き金１０４の動作を検出することができる。
【００１８】
また、導圧管１０８はエアソフトガン１００のマズル１０２と引き金動作検出部１１１とを接続する接続部１１２を構成している。
エアソフトガン１００では、引き金動作検出部１１１により検出された引き金動作に基づいた射撃結果と、撮影装置２の撮像部２１６により撮像された撮像画像とをリスト端末１の表示部１４ａに重畳表示する。この重畳表示については後に図面を参照して説明する。
【００１９】
また、引き金動作検出部１１１は、気圧センサ１２ａを有し、エアソフトガン１００のマズル１０２から射出される空気圧を、接続部１１２を介して、気圧センサ１２ａが検知することにより、引き金の動作を検出する。
【００２０】
［照準器型アタッチメントの構成］
次に、図１、図２及び図３を参照してアタッチメントである照準器型アタッチメント３００の構成について説明する。
図２は、図１のアタッチメント（照準器型アタッチメント３００）を側面視した図である。
図３は、図２のアタッチメントの分解図である。
図１、図２及び図３の照準器型アタッチメント３００において、樹脂製あるいは金属製の中空の円筒状部材３０１の前側の一端３０２に、マウント３０３を介して撮影装置２が取り付けられている。本実施形態の撮影装置２は撮像レンズ２１６ａ側から見た外形が概略円形である。また、本実施形態の撮影装置２は、照準器型アタッチメント３００の本体と着脱可能に一体化され、撮影装置２本体の底部に、正面視における幅方向に配置された回動軸を有している。この回転軸には、図示しないヒンジ板が連結されている。
【００２１】
一方、マウント３０３は、大径側が撮影装置２の外径程度の径を有し小径側が円筒状部材３０１の外径程度の径を有するコーン状の部材である。マウント３０３は、大径側の底部に、上述のヒンジ板に対応する差し込み穴（不図示）を有する。マウント３０３の差し込み穴にヒンジ板を差し込み、ヒンジ板と撮影装置２本体とを適切な開き角度に設定することによって撮影装置２はマウント３０３を介して円筒状部材３０１に適切に取り付けられる。ただし、撮影装置２をマウント３０３の大径側に嵌め込むことによって、撮影装置２を円筒状部材３０１に取り付ける構造としてもよい。
【００２２】
円筒状部材３０１の手元側の端部である他端３０４には、リスト端末１がアダプター３０５を介して取り付けられる。
本実施形態のリスト端末１はウェアラブル機器の一つであるスマートウォッチであり、リスト端末１の本体１ａに時計バンド（１２時側）１ｂと時計バンド（６時側）１ｃとが設けられている。
【００２３】
アダプター３０５は樹脂製であり、平面視で概略長方形の枠状部材３０６の長辺側の外枠部３０６ａ、３０６ｂ間に２本の格子部材３０７、３０８が渡された形状に成形されている。
アダプター３０５は、リスト端末１の本体１ａを、その表示部１４ａが手元側に向く状態で、円筒状部材３０１の他端３０４に固定する。この場合、アダプター３０５によって、リスト端末１の表示部１４ａの視認性を高めるアイピース３０９が表示部１４ａに対して固定される。即ち、アダプター３０５は円筒状部材３０１の他端３０４とアイピース３０９との間にリスト端末１を挟み込む形で、リスト端末１を円筒状部材３０１の他端３０４に対して固定する。
【００２４】
この場合、アダプター３０５の長辺側の外枠部３０６ａと円筒状部材３０１の他端３０４側とは、以下のように接続される。即ち、外枠部３０６ａに設けた弾性係止片３１０ａを、円筒状部材３０１の他端３０４の外周部に設けられた係止穴３１１に対して弾性的に着脱可能に係止する形式（嵌め込み式）で接続される。
また、アダプター３０５の長辺側の外枠部３０６ｂとアイピース３０９とについても、同様に接続される。即ち、外枠部３０６ｂに設けた弾性係止片３１０ｂをアイピース３０９の小径部分の外周部に設けた係止穴３１２に対して弾性的に着脱可能に係止する形式（嵌め込み式）で接続される。
【００２５】
リスト端末１本体１ａを、アダプター３０５によって円筒状部材３０１の他端３０４に固定する場合、リスト端末１の時計表示における３時側と９時側との各側部が枠状のアダプター３０５で押さえられる。
さらに、円筒状部材３０１の外周に嵌装する環状の時計バンド収納部材３１３を用いて時計バンド１ｂ、１ｃを円筒状部材３０１の周面に固定する。これにより、時計バンド１ｂ、１ｃが上下（１２時側と６時側）に突出することを防ぎ、使用の妨げになることを抑制できる。
【００２６】
照準器型アタッチメント３００のエアソフトガン１００への取付けには、図１に示されたマウンター１１３と２つのクランプ１１４とが用いられる。マウンター１１３は、エアソフトガン１００の銃身１０１の手元側の上部に照準器その他の付属品を着脱可能に取り付けるための部材である。
また、円筒状部材３０１の外周面を支持する環状の２つのクランプ１１４が前後に離隔して、ねじ１１５によりマウンター１１３にそれぞれ固定される。即ち、照準器型アタッチメント３００がマウンター１１３と２つのクランプ１１４とを介してエアソフトガン１００上の所定位置に着脱可能に取り付けられ、固定される。
【００２７】
［撮影装置の構成］
次に、図４を参照して、図１、図２及び図３の撮影装置２の構成について詳細に説明する。
図４は、図２のアタッチメントの撮像部を含む撮影装置２のハードウェア構成を示すブロック図である。
撮影装置２は、画像の撮影機能を備え、例えば、デジタルカメラによって構成される。本実施形態において、撮影装置２は、ディスプレイと分離して撮影機能がユニット化された装置として構成される。
図４に示すように、撮影装置２は、ＣＰＵ（Ｃｅｎｔｒａｌ  Ｐｒｏｃｅｓｓｉｎｇ  Ｕｎｉｔ）２１１と、ＲＯＭ（Ｒｅａｄ  Ｏｎｌｙ  Ｍｅｍｏｒｙ）２１２と、ＲＡＭ（Ｒａｎｄｏｍ  Ａｃｃｅｓｓ  Ｍｅｍｏｒｙ）２１３と、バス２１４と、入出力インターフェース２１５と、撮像部２１６と、入力部２１７と、出力部２１８と、記憶部２１９と、通信部２２０と、ドライブ２２１と、を備えている。
【００２８】
ＣＰＵ２１１は、ＲＯＭ２１２に記録されているプログラム、または、記憶部２１９からＲＡＭ２１３にロードされたプログラムに従って各種の処理を実行する。
【００２９】
ＲＡＭ２１３には、ＣＰＵ２１１が各種の処理を実行する上において必要なデータ等も適宜記憶される。
【００３０】
ＣＰＵ２１１、ＲＯＭ２１２及びＲＡＭ２１３は、バス２１４を介して相互に接続されている。このバス２１４にはまた、入出力インターフェース２１５も接続されている。入出力インターフェース２１５には、撮像部２１６と、入力部２１７と、出力部２１８と、記憶部２１９と、通信部２２０と、ドライブ２２１が接続されている。
【００３１】
撮像部２１６は、光学レンズ部（図３の撮像レンズ２１６ａ等）と、イメージセンサ（不図示）と、を備えている。
【００３２】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
撮像部２１６にはまた、必要に応じて、焦点、露出、ホワイトバランス等の設定パラメータを調整する周辺回路が設けられる。
【００３３】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部２１６の出力信号として出力される。
このような撮像部２１６の出力信号を、以下、「撮像画像データ」と呼ぶ。撮像画像データは、ＣＰＵ２１１等に適宜供給される。
【００３４】
入力部２１７は、各種ボタン等で構成され、ユーザの指示操作に応じて各種情報を入力する。
出力部２１８は、ランプやスピーカあるいは振動用モータ等で構成され、光や音声あるいはバイブレーション信号を出力する。
記憶部２１９は、ＤＲＡＭ（Ｄｙｎａｍｉｃ  Ｒａｎｄｏｍ  Ａｃｃｅｓｓ  Ｍｅｍｏｒｙ）等の半導体メモリで構成され、各種データを記憶する。
【００３５】
通信部２２０は、端末間の直接的な無線通信によって他の装置との間で行う通信を制御する。本実施形態において、通信部２２０は、ＢＬＥ（登録商標）によって他の装置と通信したり、Ｗｉ−Ｆｉによって撮影装置２や他の装置と通信したりする。
また、本実施形態の撮影装置２は、他の装置としての図１、図２及び図３のリスト端末１との間で通信部２２０により通信行い、撮像画像データをリスト端末１に送信する。
ドライブ２２１には、磁気ディスク、光ディスク、光磁気ディスク、あるいは半導体メモリ等よりなる、リムーバブルメディア２３１が適宜装着される。ドライブ２２１によってリムーバブルメディア２３１から読み出されたプログラムは、必要に応じて記憶部２１９にインストールされる。また、リムーバブルメディア２３１は、記憶部２１９に記憶されている画像のデータ等の各種データも、記憶部２１９と同様に記憶することができる。
【００３６】
上述のような撮影装置２がエアソフトガン１００の照準器型アタッチメント３００の構成要素として適用される。この構成の照準器型アタッチメント３００を装着したエアソフトガン１００は、所謂サバイバルゲームでの射撃に用いることができる。このようなエアソフトガン１００がユーザであるプレーヤーによってサバイバルゲームでの射撃用途に用いられる場合、照準器型アタッチメント３００の撮影装置２において、射撃の照準対象となる敵プレーヤーを被写体として撮影する。このとき、撮影装置２の撮像部２１６によって撮像された敵プレーヤーの撮像画像データは、通信部２２０から、例えば、ライブビュー画像のデータとしてリスト端末１に送信される。
【００３７】
［リスト端末の構成］
次に、図５を参照してリスト端末１の構成について説明する。
図５は、図２のアタッチメントの表示部を含むリスト端末１のハードウェア構成を示すブロック図である。
リスト端末１は、腕時計型に構成され、スマートフォンに類する機能を備えた装置である。
図５に示すように、リスト端末１は、制御部１１と、センサユニット１２と、入力部１３と、報知部１４と、時計回路１５と、ＲＯＭ（Ｒｅａｄ  Ｏｎｌｙ  Ｍｅｍｏｒｙ）１６と、ＲＡＭ（Ｒａｎｄｏｍ  Ａｃｃｅｓｓ  Ｍｅｍｏｒｙ）１７と、ＧＰＳ（Ｇｌｏｂａｌ  Ｐｏｓｉｔｉｏｎｉｎｇ  Ｓｙｓｔｅｍ）アンテナ１８と、ＧＰＳモジュール１９と、無線通信用アンテナ２０と、無線通信モジュール２１と、ドライブ２２とを備えている。
【００３８】
センサユニット１２は、気圧センサ１２ａを含む。また、報知部１４はＬＣＤ（Ｌｉｑｕｉｄ  Ｃｒｙｓｔａｌ  Ｄｉｓｐｌａｙ）の表示部１４ａの他、発音部１４ｂ、バイブレータ１４ｃを含む。
なお、リスト端末１は、撮像部等の他のハードウェアを適宜備えることが可能である。
【００３９】
制御部１１は、ＣＰＵ（Ｃｅｎｔｒａｌ  Ｐｒｏｃｅｓｓｉｎｇ  Ｕｎｉｔ）等の演算処理装置によって構成され、リスト端末１全体の動作を制御する。例えば、制御部１１は、ＧＰＳモジュール１９が取得した情報に基づく位置特定処理のためのプログラム等、ＲＯＭ１６に記録されているプログラムに従って各種の処理を実行する。
センサユニット１２は、上述のように気圧センサ１２ａを含むが、他に、加速度センサ、ジャイロセンサ、地磁気センサあるいは高度センサ等の各種センサを備えている。
加速度センサは、リスト端末１における３軸方向の加速度を検出し、検出した加速度を示す情報を制御部１１に出力する。
ジャイロセンサは、リスト端末１における３軸方向の角速度を検出し、検出した角速度を示す情報を制御部１１に出力する。
気圧センサ１２ａは、リスト端末１がある環境下の気圧を検出し、検出した気圧を示す情報を制御部１１に出力する。リスト端末１では、気圧センサから出力される情報に基づいて、リスト端末１の高度を検出する。
【００４０】
本実施形態のリスト端末１における気圧センサ１２ａは、図１を参照して説明したように、自己の受圧部に対してエアソフトガン１００のマズル１０２から導圧管１０８を通して伝播した空気圧が作用する。即ち、エアソフトガン１００の引き金１０４を操作することによってマズル１０２から射出される高圧の空気が気圧センサ１２ａに到達するため、大気圧よりも高い空気圧が検出される。制御部１１はこのようにして気圧センサ１２ａによって検出された空気圧に基づいて、エアソフトガン１００の引き金動作を検出する。
【００４１】
入力部１３は、各種ボタンや表示部１４ａの表示領域に積層される静電容量式または抵抗膜式の位置入力センサ等で構成され、ユーザの指示操作に応じて各種情報を入力する。
表示部１４ａは、制御部１１の指示に従って画像を出力する。例えば、表示部１４ａは、各種画像やユーザインターフェースの画面を表示する。本実施形態においては、表示部１４ａに入力部１３の透明な位置入力センサが重畳して配置され、タッチパネルが構成されている。
時計回路１５は、システムクロックあるいは発振器により生成される信号から時刻信号を生成し、現在時刻を出力する。
【００４２】
ＲＯＭ１６は、制御部１１で実行される制御プログラム等の情報を格納する。
ＲＡＭ１７は、制御部１１が各種処理を実行する際のワークエリアを提供する。
ＧＰＳアンテナ１８は、ＧＰＳにおける衛星から発信される電波を受信して電気信号に変換し、変換した電気信号（以下、「ＧＰＳ信号」と称する。）をＧＰＳモジュール１９に出力する。
ＧＰＳモジュール１９は、ＧＰＳアンテナ１８から入力されたＧＰＳ信号に基づいて、リスト端末１の位置（緯度、経度、高度）及びＧＰＳによって示される現在時刻を検出する。また、ＧＰＳモジュール１９は、検出した位置及び現在時刻を示す情報を制御部１１に出力する。
【００４３】
無線通信用アンテナ２０は、無線通信モジュール２１によって利用される無線通信に対応した周波数の電波を受信可能なアンテナであり、例えばループアンテナやロッドアンテナによって構成される。無線通信用アンテナ２０は、無線通信モジュール２１から入力された無線通信の電気信号を電磁波として送信したり、受信した電磁波を電気信号に変換して無線通信モジュール２１に出力したりする。
無線通信モジュール２１は、制御部１１の指示に従って、無線通信用アンテナ２０を介して他の装置に信号を送信する。また、無線通信モジュール２１は、他の装置から送信された信号を受信し、受信した信号が示す情報を制御部１１に出力する。
本実施形態のリスト端末１では、図４の撮影装置２の通信部２２０から送信された上述の撮像画像データを無線通信モジュール２１によって受信し、受信した撮像画像データを制御部１１に出力する。表示部１４ａは制御部１１の制御下で、受信した撮像画像データによる動画や静止画を表示する。
ドライブ２２には、磁気ディスク、光ディスク、光磁気ディスク、あるいは半導体メモリ等よりなる、リムーバブルメディア３１が適宜装着される。リムーバブルメディア３１は、位置及び高度のデータ等の各種データを記憶することができる。
【００４４】
図５を参照して説明したように、本実施形態のリスト端末１では、撮影装置２で撮像されて送信される撮像画像データをリスト端末１の表示部１４ａに表示する。また、リスト端末１では、エアソフトガン１００のマズル１０２から発せられる空気圧を、導圧管１０８を通して気圧センサ１２ａで検出することによって、エアソフトガン１００の引き金動作を検出する。
したがって、サバイバルゲームに際して、エアソフトガン１００を構えたユーザであるプレーヤーが、照準器型アタッチメント３００で撮影装置２の被写体として照準を合わせた敵プレーヤーの動画像が、無線で送受信されリスト端末１の表示部１４ａに表示される。リスト端末１では、引き金動作が検出されたタイミングで、表示部１４ａにおける表示画面において、例えば中央に、着弾位置を表す被弾マーク等の画像を敵プレーヤーの動画像に重畳表示することができる。この場合、被弾マーク等の画像は、一つの射撃結果を表している。
【００４５】
上述のように、本発明の実施形態では、表示部１４ａは、リスト端末１の構成要素として、引き金動作検出部１１１に備えられた気圧センサ１２ａと一体となっている。このようなリスト端末１を利用して照準器型アタッチメント３００を構成することにより、エアソフトガン１００あるいは照準器型アタッチメント３００をコンパクト化することができる。さらに、リスト端末１の持つ多様な機能を効果的に利用して、新たな用途に適用することが可能となる。
【００４６】
［撮影装置の機能的構成］
次に、図６を参照して撮影装置２の機能的構成について説明する。
図６は、図４の撮影装置２の機能的構成のうち、撮影処理を実行するための機能的構成を示す機能ブロック図である。
撮影処理とは、撮像部２１６で撮像して取得した撮像画像データを、通信部２２０を通して他装置（リスト端末１）に送信する一連の処理である。
撮影処理が実行される場合、図６に示すように、ＣＰＵ２１１において、第１通信制御部２５１と、撮影制御部２５３と、同期制御部２５４と、動画送信制御部２５５とが機能する。尚、本実施形態の場合、第２通信制御部２５２は所要に応じて機能する。
また、記憶部２１９の一領域には、動画データ記憶部２７１が設定される。
【００４７】
エアソフトガン１００の照準器型アタッチメント３００における撮像部として撮影装置２の撮像部２１６が用いられる際には、第１通信制御部２５１は、撮影装置２のＢＬＥによる通信を制御し、他の装置としてのリスト端末１とのペアリング処理やデータの送受信処理を実行する。
第２通信制御部２５２は、撮影装置２のＷｉ−Ｆｉによる通信を制御し、他の装置とのデータの送受信処理を可能にする。
【００４８】
撮影制御部２５３は、エアソフトガン１００のユーザにより照準器型アタッチメント３００を作動状態にする操作が入力部２１７に対して行われた場合に、撮像部２１６を制御して照準用の動画の撮影速度として予め設定された撮影速度（例えば、３０ｆｐｓ）で照準用の動画を撮影する。なお、入力部２１７に対して動画記録モードを選択する操作が行われた場合には、撮影された記録用の動画は、動画データ記憶部２７１に記憶し得る。
【００４９】
同期制御部２５４は、ワンショットモードに設定された後に、Ｗｉ−Ｆｉによる通信を介して、通信相手と自装置との間で基準時刻の同期を行う。
動画送信制御部２５５は、撮影制御部２５３の制御によって撮影された照準用の動画を他の装置としてのリスト端末１に送信する。具体的には、動画送信制御部２５５は、エアソフトガン１００のユーザにより照準器型アタッチメント３００を作動状態にする操作が入力部２１７に対して行われた場合、撮影される動画像を逐次リスト端末１に送信する。この場合、撮影対象画像のモニタはリスト端末１側で行われる。
【００５０】
［リスト端末の機能的構成］
次に、図７を参照して、ウェアラブル機器であるリスト端末１の機能的構成について説明する。
図７は、図５のリスト端末１の機能的構成のうち、撮像画像データ受信処理及び表示処理を実行するための機能的構成を示す機能ブロック図である。
撮像画像データ受信処理とは、エアソフトガン１００のユーザにより照準器型アタッチメント３００を作動状態にする操作が行われたことに基づいて撮影装置２から送信される照準用の動画を表す撮像画像データの受信を行う一連の処理である。
また、表示処理とは、受信された撮像画像データを表示部１４ａに表示し、さらに、気圧センサ１２ａを通して検出されるエアソフトガン１００の引き金動作のタイミングで被弾マーク等の既定の画像を動画像に重畳表示する一連の処理である。
【００５１】
撮像画像データ受信処理及び表示処理が実行される場合には、図７に示すように、制御部１１において、入力操作識別部５１と、撮像画像データ取得部５２と、気圧センサ出力取得部５３と、引き金動作判定部５４と、被弾マーク重畳処理部５５と、発音体駆動部５６と、バイブレータ駆動部５７、表示制御部５８とが機能する。
また、ＲＯＭ１６の一領域には、特殊パターン記憶部７１と、ＡＲデータ記憶部７２とが設定される。
特殊パターン記憶部７１は、引き金動作が検出されたタイミングで表示部１４ａにおける敵プレーヤーの動画像等に重畳表示する被弾マークを予め一種類ないし複数種類記憶している。特殊パターン記憶部７１は、さらに、後述する表示部１４ａの表示領域１４１に重畳表示するレティクル１４２を表すデータを記憶している。
ＡＲデータ記憶部７２は、ＡＲ（Ａｕｇｍｅｎｔｅｄ  Ｒｅａｌｉｔｙ）のデータを記憶している。ＡＲのデータは、実在する風景に仮想視覚情報を重ねて表示することで、目の前にある世界（実写の映像）を仮想的に拡張する場合に利用される。ＡＲデータ記憶部７２は、例えば、ＡＲのキャラクタ（モンスター等）のデータ等を記憶している。
【００５２】
［照準器型アタッチメントの表示部での表示例］
次に、図８、図９、図１０を参照して、照準器型アタッチメント３００の表示部であるリスト端末１の表示部１４ａに表示される画像の表示例を説明する。
図８は、図５のリスト端末１の表示部１４ａにおける一つの表示例を示す図である。
図９は、図５のリスト端末１の表示部１４ａにおける他の表示例を示す図である。
図１０は、図５のリスト端末１の表示部１４ａにおける他の表示例を示す図である。
【００５３】
図８の例では、照準器型アタッチメント３００の表示部１４ａの表示領域１４１内に十字線からなる一般的なクロスヘア型のレティクル１４２が重畳表示される。レティクル１４２の交点Ｐが照準点である。図８では、エアソフトガン１００を持つユーザであるプレーヤーが敵プレーヤー１４３に照準を合わせた場合が例示されている。
【００５４】
図９の例では、図８に示すように、エアソフトガン１００を持つユーザであるプレーヤーが敵プレーヤー１４３に照準を合わせ、引き金１０４を操作した場合が例示されている。上述のようにエアソフトガン１００の引き金動作はリスト端末１の気圧センサ１２ａを通して検出され、この引き金動作のタイミングで被弾マーク等の既定の画像が実写の動画である動画像に重畳表示される。図９では、敵プレーヤー１４３の動画像に既定の画像である被弾マーク１４４が重畳表示されている。
【００５５】
図１０の例では、照準器型アタッチメント３００の表示部１４ａの表示領域１４１内に撮像部２１６の撮像視野の実写の動画１４５が表示され、この実写の動画１４５に上述したＡＲのデータによるキャラクタ１４６が重畳表示されている。図１０では、エアソフトガン１００を持つユーザであるプレーヤーがこのキャラクタ１４６に照準を合わせて引き金１０４を操作した場合が示されている。引き金動作がリスト端末１の気圧センサ１２ａを通して検出され、この検出に基づいて被弾マーク１４４がキャラクタ１４６に重畳表示されている。
【００５６】
［撮影装置の動作］
次に、撮影装置２が実行する撮影処理について説明する。
図１１は、図４の撮影装置２が実行する撮影処理の流れを説明するフローチャートである。
撮影処理は、入力部２１７を介して撮影処理の開始を指示する操作が行われることにより開始される。本実施形態の場合、エアソフトガン１００を持つユーザであるプレーヤーが、照準器型アタッチメント３００を作動状態にする一つの操作として撮影処理の開始を指示する操作を行う。
【００５７】
ステップＳ２１において、第１通信制御部２５１は、Ｗｉ−Ｆｉによってリスト端末１と接続する。
ステップＳ２２において、撮影制御部２５３は、撮像部２１６を制御して、動画像の撮影速度として予め設定された撮影速度で動画像を撮影する処理を開始する。
ステップＳ２３において、動画送信制御部２５５は、撮影された動画像をリスト端末１に逐次送信する。
【００５８】
ステップＳ２４において、撮影制御部２５３は、入力部２１７で撮影を終了させる終了操作が受け付けられたか否かを判定する。
ステップＳ２４において、撮影制御部２５３は、入力部２１７で終了操作が受け付けられていないと判定された場合、ステップＳ２３の処理が繰り返される。一方、ステップＳ２４において、入力部２１７で終了操作が受け付けられたと判定された場合（ステップＳ２４：ＹＥＳ）、処理はステップＳ２５に移行する。
ステップＳ２５において、撮影制御部２５３は、動画像の撮影を終了する。
ステップＳ２６において、撮影制御部２５３は、動画像の撮影終了の情報を第１通信制御部２５１に伝達する。
ステップＳ２７において、第１通信制御部２５１は、Ｗｉ−Ｆｉによるリスト端末１との接続を終了する。
ステップＳ２７の後、撮影処理は終了する。
【００５９】
［リスト端末の動作］
次に、リスト端末が実行する撮像画像データ受信処理及び表示処理について説明する。
図１２は、図５のリスト端末が実行する撮像画像データ受信処理及び表示処理の流れを説明するフローチャートである。
【００６０】
撮像画像データ受信処理は、外部からの操作により入力操作識別部５１が撮像画像データの受信を開始する操作が行われたことを識別することによって開始する。本実施形態の場合、外部からの操作とは、エアソフトガン１００のユーザにより、照準器型アタッチメント３００の構成要素である、図５のリスト端末１の入力部１３に対して、照準器型アタッチメント３００を作動状態にするために行われる操作がこれに該当する。一方、制御部１１におけるバックグラウンドジョブとして、気圧センサ出力取得部５３が機能して図５の気圧センサ１２ａからの気圧の検出出力を高速のサンプリングレートで常時取得する。
【００６１】
ステップＳ３１において、撮像画像データ取得部５２が、図５の無線通信モジュール２１が撮影装置２からＷｉ−Ｆｉによる通信で受信した撮影画像データを取得し、表示制御部５８に供給する。
ステップＳ３２において、表示制御部５８は、撮像画像データ取得部５２から供給された撮影画像データを図５の表示部１４ａに表示するための表示処理を実行する。このステップＳ３２での表示処理により、撮影装置２から受信された撮像画像データが動画像として表示部１４ａに表示される。
【００６２】
本実施形態の場合、表示部１４ａには、表示制御部５８が特殊パターン記憶部７１から読み出したレティクル１４２を表すデータにより、図８のようなレティクル１４２が上述の動画像に重畳表示される。このため、表示部１４ａの表示領域１４１には、エアソフトガン１００のユーザであるプレーヤーが照準を合わせた敵プレーヤー１４３の動画像にレティクル１４２が重畳表示される。
【００６３】
ステップＳ３３において、引き金動作判定部５４により、気圧センサ出力取得部５３が取得している気圧センサ出力に基づいて、エアソフトガン１００の引き金動作が発生したか否かが判定される。
ステップＳ３３において、エアソフトガン１００の引き金動作が発生していないと判定された場合（ステップＳ３３：ＮＯ）、ステップＳ３３の処理が繰り返される。
一方、ステップＳ３３において、エアソフトガン１００の引き金動作が行われたと判定された場合（ステップＳ３３：ＹＥＳ）、処理はステップＳ３４に移行する。
ステップＳ３４において、被弾マーク重畳処理部５５が、撮像画像データ取得部５２で取得されている撮像画像データに特殊パターン記憶部７１から読み出した被弾マークを表すデータを重畳する。
【００６４】
ステップＳ３５において、表示制御部５８は、ステップＳ３４の処理で被弾マーク１４４を表すデータが重畳された撮像画像データを表示部１４ａに動画像として表示する。本実施形態の場合、図９のように、表示部１４ａの表示領域１４１には、敵プレーヤー１４３の動画像に被弾マーク１４４がスーパーインポーズ表示される。尚、本実施形態の照準器型アタッチメント３００では、被弾マーク１４４は常にレティクル１４２の照準点Ｐの位置を中心にして表示される。また、被弾マーク１４４を表示するときにはレティクル１４２の表示は消去されるように処理してもよい。
【００６５】
ステップＳ３６において、表示制御部５８は、被弾マーク１４４が所定の重畳表示時間に亘って表示されたか否かを判定する。被弾マーク１４４の持続時間が所定の重畳表示時間に満たないときには（ステップＳ３６：ＮＯ）、被弾マーク１４４の重畳表示が継続される。一方、被弾マーク１４４の持続時間が所定の重畳表示時間に達したときには（ステップＳ３６：ＹＥＳ）、処理はステップＳ３７に移行する。
ステップＳ３７において、被弾マーク重畳処理部５５は、撮像画像データに対する被弾マークを表すデータの重畳を終了する。
【００６６】
ステップＳ３８において、入力操作識別部５１は、入力部１３に対する照準器型アタッチメント３００を非作動状態にする終了操作が行われたか否かを判定する。ステップＳ３８において、終了操作が未だ行われていないと判定された場合（ステップＳ３８：ＮＯ）、処理はステップＳ３１に移行する。一方、ステップＳ３８において、終了操作が行われたと判定された場合（ステップＳ３８：ＹＥＳ）、撮像画像データ受信処理及び表示処理は終了する。
【００６７】
尚、上述のステップＳ３５における敵プレーヤー１４３の動画像に被弾マーク１４４がスーパーインポーズ表示されるタイミングで、発音体駆動部５６によって、報知部１４の発音部１４ｂを駆動して模擬被弾音を発生させたり、バイブレータ駆動部５７によって、報知部１４のバイブレータ１４ｃを駆動して模擬的な着弾振動を発生させたりすることもできる。即ち、報知部１４は引き金動作検出部１１１（引き金動作判定部５４）により検出された引き金動作に基づき、操作者であるエアソフトガン１００のユーザに射撃操作が行われたことを映像、音、振動等を利用した種々の方法で報知する。
他方、サバイバルゲームにおいて照準器型アタッチメント３００を通して出力される動画像や間欠的な静止画像等を、記録制御部５９を通して、外部記憶装置等に記録することもできる。さらに、エアソフトガン１００を手元に有しない第三者も、このような映像記録をモニタ上に再生してサバイバルゲームの臨場感を味わうこともできる。
【００６８】
上述のように、本実施形態のエアソフトガン１００では、ＢＢ弾を発射することなく、照準器型アタッチメント３００を通して出力される模擬的な被弾マーク１４４等によって敵プレーヤー１４３を狙撃するような感覚でサバイバルゲームを行うことができる。ＢＢ弾を発射することがないため、使用場所に関する制約が低減される。また、照準器型アタッチメント３００により、このような新たなエアソフトガン１００の機能を実現することができる。またウェアラブル機器である上述のリスト端末１は、上述のように照準器型アタッチメント３００の構成要素として利用する形で、上述のエアソフトガン１００の機能の実現に寄与することができる。
【００６９】
［変形例１］
上述の実施形態において、照準器型アタッチメント３００は、撮影装置２で撮影した被写体の画像を表示するものとしたが、これに限られない。
例えば、リスト端末１が位置情報を取得し、現在位置周辺の実写された地図データ（ストリート内に視点が設定された画像）を、ネットワークを介して逐次ダウンロードすることができる。そして、リスト端末１に備えられている方位センサ及びジャイロセンサを用いて、照準器型アタッチメント３００が向いている方向の実写された地図データを表示することができる。
これにより、撮影装置２を用いることなく、リアルタイムではないものの現実の風景の画像を表示することができる。
【００７０】
以上のように構成されるエアソフトガン１００は、可動な引き金１０４を有すると共に、撮像部２１６と、引き金動作検出部１１１と、を備える。
引き金動作検出部１１１は、エアソフトガン１００の引き金動作を検出する。
引き金動作検出部１１１により検出された引き金動作に基づいた射撃結果と、撮像部２１６により撮像された撮像画像とが重畳して表示部１４ａに表示される。
これにより、ＢＢ弾等の飛翔体を発射することなく、使用場所に関する制約を低減したエアソフトガン１００を実現することができる。
【００７１】
エアソフトガン１００は、そのマズル１０２と引き金動作検出部１１１とを接続する接続部１１２を備える。
これにより、マズル１０２から射出される空気圧を、接続部１１２を介して、引き金動作検出部１１１が検知することにより、引き金の動作が検出される。
引き金動作検出部１１１は、気圧センサ１２ａを有する。
エアソフトガン１００のマズルから射出される空気圧を、接続部１１２を介して、気圧センサ１２ａが検知することにより、引き金の動作を検出する。
これにより、簡単な構成で、引き金の動作を検出することが可能となる。
【００７２】
また、照準器型アタッチメント３００は、可動な引き金１０４を有するエアソフトガン１００に着脱可能なアタッチメントであり、引き金動作検出部１１１を備える。
引き金動作検出部１１１は、エアソフトガン１００の引き金動作を検出する。
引き金動作検出部１１１は、気圧センサ１２ａを有し、エアソフトガン１００のマズル１０２から射出される空気圧を気圧センサ１２ａが検知することにより、エアソフトガン１００の引き金動作を検出する。
これにより、ＢＢ弾等の飛翔体を発射することなく、実際の引き金動作に応じて、照準器型アタッチメント３００により模擬的な射撃の結果を表示することができる。
したがって、ＢＢ弾等の飛翔体を発射することなく、使用場所に関する制約を低減したエアソフトガン１００の実現に寄与することができる。
【００７３】
照準器型アタッチメント３００は、表示部１４ａと、撮像部２１６と、を備える。
表示部１４ａは、照準器型アタッチメント３００の一端に着脱可能に取り付けられる。
撮像部２１６は、照準器型アタッチメント３００の他端に着脱可能に取り付けられる。
これにより、実際に撮影された風景として射撃の対象を表示したり、射撃の結果の画像を重畳表示したりすることが可能となる。
【００７４】
表示部１４ａは、引き金動作検出部１１１に備えられた気圧センサ１２ａと一体となっている。
これにより、表示部１４ａと気圧センサ１２ａとを備える装置を照準器型アタッチメント３００の表示部として用いることができる。
【００７５】
照準器型アタッチメント３００は、報知部１４を備える。
報知部１４は、引き金動作検出部１１１により検出された引き金動作に基づき、操作者に射撃操作の実行を報知する。
これにより、操作者の実際の射撃操作に対応して、射撃操作の実行が報知されるため、模擬的な射撃におけるリアリティを高めることができる。
【００７６】
報知部１４は、画面表示、音、及び振動の少なくとも１つにより、操作者に射撃操作の実行を報知する。
これにより、操作者にわかりやすい形態で、射撃操作の実行を報知することができる。
【００７７】
リスト端末１は、引き金動作検出部１１１と、表示部１４ａと、を備える。
引き金動作検出部１１１は、気圧センサ１２ａによりエアソフトガン１００から射出される空気圧を検出する。
表示部１４ａは、引き金動作検出部１１１により検出された引き金動作に基づいた射撃結果を表示する。
これにより、エアソフトガンが射出する空気圧を検出することによって射撃結果を表示できるため、ＢＢ弾等の飛翔体を発射することなく、使用場所に関する制約を低減したエアソフトガン１００の実現に寄与することができる。
【００７８】
表示部１４ａは、引き金動作検出部１１１により検出された引き金動作に基づいた射撃結果と、撮影装置２により撮像された映像とを重畳して表示する。
これにより、模擬的な射撃におけるリアリティを高めることができる。
【００７９】
なお、本発明は、上述の実施形態に限定されるものではなく、本発明の目的を達成できる範囲での変形、改良等は本発明に含まれるものである。
【００８０】
例えば、上述の実施形態において、ユーザであるプレーヤーが保持するエアソフトガン１００のリスト端末１と他のプレーヤーのエアソフトガン１００のリスト端末１とが無線通信モジュール２１によって交信可能にしてもよい。この場合、双方のリスト端末１間で、それらのＧＰＳモジュール１９と方位センサ（センサユニット１２のもの）とによる位置及び方位情報を授受することにより、被弾した相手方プレーヤーを特定したり、あるいは、各プレーヤーの存在位置をリスト端末１に表示したりすることができる。
また、各プレーヤーの位置情報をリスト端末１からサーバに集約し、サーバがプレーヤーの分布を示す情報を各リスト端末１に配信することで、例えば、仲間のプレーヤーの位置を表示することができる。また、この場合、各種地図情報を併せて配信することで、プレーヤーの陣地に関する情報（建物の位置、地形等）を表示することができる。
【００８１】
また、上述の実施形態において、図７のＡＲデータ記憶部７２に、図１０のキャラクタ１４６のデータを用意して、照準器型アタッチメント３００の撮影装置２（撮像部２１６）で取得し、リスト端末１（表示部１４ａ）の表示領域１４１に表示した実写の動画１４５の中に、キャラクタ１４６を出現させるようにしてもよい。この場合も、エアソフトガン１００のユーザは、表示領域１４１のレティクル１４２で照準してキャラクタ１４６に対して引き金動作を行うことにより、被弾マーク１４４を重畳表示することができる。
【００８２】
以上、本発明のいくつかの実施形態について説明したが、これらの実施形態は、例示に過ぎず、本発明の技術的範囲を限定するものではない。本発明はその他の様々な実施形態をとることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００８３】
以下に、本願の出願当初の特許請求の範囲に記載された発明を付記する。
［付記１］
可動な引き金を有する遊戯銃において、
撮像部と、
前記遊戯銃の引き金動作を検出する引き金動作検出部と、
前記引き金動作検出部により検出された引き金動作に基づいた射撃結果と、前記撮像部により撮像された撮像画像とを重畳して表示する表示部と、を備えることを特徴とする遊戯銃。
［付記２］
前記遊戯銃は、エアソフトガンであり、
前記エアソフトガンのマズルと前記引き金動作検出部とを接続する接続部を備えることを特徴とする付記１に記載の遊戯銃。
［付記３］
前記引き金動作検出部は、気圧センサを有し、
前記可動な引き金の操作により、前記エアソフトガンのマズルから射出される空気圧を、前記接続部を介して、前記気圧センサが検知することにより、引き金動作を検出することを特徴とする付記２に記載の遊戯銃。
［付記４］
可動な引き金を有するエアソフトガンに着脱可能なアタッチメントにおいて、
前記エアソフトガンの引き金動作を検出する引き金動作検出部を備え、
前記引き金動作検出部は、気圧センサを有し、
前記可動な引き金の操作により、前記エアソフトガンのマズルから射出される空気圧を前記気圧センサが検知することにより、前記エアソフトガンの引き金動作を検出することを特徴とするアタッチメント。
［付記５］
前記アタッチメントの一端に着脱可能に取り付けられた表示部と、
前記アタッチメントの他端に着脱可能に取り付けられた撮像部と、を備えることを特徴とする付記４に記載のアタッチメント。
［付記６］
前記表示部は、前記引き金動作検出部に備えられた前記気圧センサと一体となっていることを特徴とする付記５に記載のアタッチメント。
［付記７］
報知部を備え、
前記報知部は、前記引き金動作検出部により検出された引き金動作に基づき、操作者に射撃操作の実行を報知することを特徴とする付記４に記載のアタッチメント。
［付記８］
前記報知部は、画面表示、音、及び振動の少なくとも１つにより、操作者に射撃操作の実行を報知することを特徴とする付記７に記載のアタッチメント。
［付記９］
表示部と、気圧センサとを有したウェアラブル機器において、
前記気圧センサによりエアソフトガンから射出される空気圧を検出する引き金動作検出手段と、
前記引き金動作検出手段により検出された引き金動作に基づいた射撃結果を前記表示部に表示する表示手段と、を備えることを特徴とするウェアラブル機器。
［付記１０］
前記表示部は、前記引き金動作検出手段により検出された引き金動作に基づいた射撃結果と、撮像機器により撮像された映像とを重畳して表示することを特徴とする付記９に記載のウェアラブル機器。
【符号の説明】
【００８４】
１・・・リスト端末，２・・・撮影装置，１２ａ・・・気圧センサ，１１・・・制御部，１４・・・報知部，１４ａ・・・表示部，５３・・・気圧センサ出力取得部，５４・・・引き金動作判定部，５５・・・被弾マーク重畳処理部，１００・・・エアソフトガン，１０２・・・マズル，１０８・・・導圧管，１１１引き金動作検出部，１１２・・・接続部，１４３・・・敵プレーヤー１４４・・・被弾マーク，１４５・・・実写の動画，２１１・・・撮像部，２１６・・・撮像部，３０１・・・円筒状部材（円筒部）
【図１】
2019060534.tif 000003
【図２】
2019060534.tif 000004
【図３】
2019060534.tif 000005
【図４】
2019060534.tif 000006
【図５】
2019060534.tif 000007
【図６】
2019060534.tif 000008
【図７】
2019060534.tif 000009
【図８】
2019060534.tif 000010
【図９】
2019060534.tif 000011
【図１０】
2019060534.tif 000012
【図１１】
2019060534.tif 000013
【図１２】
2019060534.tif 000014